(57)【要約】      （修正有）【課題】息苦しくなく、顔の向きによるずれを防ぎ、顔に跡が残らず、携帯に便利な使い捨て素材でできた、美容、健康、安眠を考慮した、多目的利用可能なフェイスマスクを提供する。【解決手段】素材は伸縮性不織布、もしくは抗菌、ウィルス、花粉、紫外線対策用素材を使用し、縦は額生え際から顎の下まで大きく曲線形にし、縦に左右を張り合わせ、または折り目を付けた形状にすることで、中央縦のラインが適度の強度となり、顔前面に空間を作り、横は耳までのフェイスラインでフィットさせ固定する。固定方法は耳に掛けるタイプと接着効果のある素材を本体内側周囲に使用することで、耳に掛けずに固定するタイプが可能で、この形状により、顔の向きによるずれを防ぎ、息苦しくなく保湿することで、皺、風邪などの予防、またウィルス、花粉、埃、紫外線の対策を期待でき、縦に平たくたためて携帯にも嵩張らない。【選択図】図１
0003153284.tif 000002
【実用新案登録請求の範囲】
【請求項１】
本フェイスマスクは素材も形状もここに記す限りではないが、多少伸縮性のある通常の使い捨て鼻口用マスク素材が望ましく、抗菌、ウィルス、花粉対策素材、紫外線対策としてＵＶ素材でも可能であり、縦は額の生え際から顎の下までの曲線形で、縦中央で左右を張り合わせるか、折り目を付け、横はフェイスラインでソフトにフィットさせ固定することで、縦中央ラインにより適度な強度を生じ、顔全体を立体形で覆うことが可能になり、マスク内に空間をもたせ保湿を考慮した多目的使用可能な睡眠時フェイスマスクである。
【請求項２】
本フェイスマスクの固定方法は、耳に掛けて固定するタイプと接着効果のある素材を本体内側周囲に使用することで、フェイスラインに沿って張り付くように固定するタイプの、請求項１に記載のフェイスマスクである。
【請求項３】
縦半分に平たく折りたたむことができ携帯に便利、装着着脱が容易、カラーバリエーションによる効果も期待できる、請求項１〜請求項２に記載のフェイスマスクである。
【考案の詳細な説明】
【技術分野】
【０００１】本発明は、乾燥した飛行機内、電車内、病院、美容院などに於ける仮眠時、及び自宅やホテルでの睡眠時に乾燥を防ぐため、顔肌、鼻喉の保湿を考慮することにより、美容と健康ばかりでなく、寝顔をガードする、顔全体を立体的に覆うマスクに関するものである。
【背景技術】
【０００２】従来のフェイスマスクというものは、目鼻口の部分に開口部があるパック用であり、鼻喉を保湿することはできず、顔に密着するものが一般的であるので、本発明とは用途も形状も異なる。【０００３】就寝時に安眠や美容健康を考える場合、アイマスクと鼻口用マスクを別々に装着しなくてはならず、息苦しい上に顔面に跡が残り、化粧状態での使用時にアイメイクや口紅などが落ちやすいという難点がある。【０００４】睡眠中寝顔をガードするため、ハンカチやタオルなどで顔を覆う人もいるが、固定されてないのでずれたり落ちたりし、口紅など化粧が付着するため、その都度洗濯が必要であるという不便さと手軽さに欠ける。【０００５】現在市販されている立体形マスクは、鼻口用であり、顔全体を覆うものではなく、主に外出時の予防用であるため、本考案とは利用目的も主旨もサイズも固定方法も異なる。
【先行技術文献】
【特許文献】
【００００】
【特許文献１】
【特許文献２】
【非特許文献】
【００００】
【非特許文献１】
【非特許文献２】
【考案の概要】
仮眠時や就寝中、息苦しくなく、顔を保湿することにより、風邪などの予防、ウィルス、花粉、埃、紫外線を防ぐばかりでなく、顔の皺対策にもなる、安眠、健康、美容を考慮した、顔全体を覆う多目的に使用可能なフェイスマスクである。
【考案が解決しようとする課題】
【０００６】本発明品は顔の肌、鼻喉の保湿を大きな目的としているため、自宅はもちろん、乾燥した飛行機内、電車内、ホテルなどでの仮眠、睡眠時、寝顔をガードする目的と同時に、肌や鼻喉を保湿することにより、風邪などの予防、ウィルスや花粉、埃、紫外線から体を保護し、顔の皺対策も解決するところに、本発明の課題を有する。すなわち、使用素材を考慮すると共に息苦しくなく安眠でき、姿勢や顔の向きによりずれることなく、取り外し時に顔に跡が残らず、化粧をしたまま使用してもアイメイク、口紅などが落ちにくい形状と、装着着脱が容易であること、携帯に便利で、使い捨て素材にすることに解決の課題がある。
【課題を解決するための手段】
【０００７】本発明は上記の問題をすべて解決するために考案したもので、多少の顔の大小とフェイスラインでソフトにフィットさせることを可能にするため、多少伸縮性のある不織布製通常マスクの様な素材を使用するのが望ましいが、抗菌、風邪、花粉、紫外線対策用素材でも可能である。縦は額の生え際から顎の下まで曲線形にし、縦に左右を張り合わせる形状もしくは折り目を付け、中央縦のラインが作る適度の強度により、顔前面に空間をもたせる。横は耳近くのフェイスラインでソフトにフィットさせ、耳に掛け固定するかもしくは、接着効果のある素材を本体内側周囲に使用することで、耳に掛けることなく固定することが可能であれば使用範囲も広がる。これらにより、息苦しくなく、睡眠時に顔の向きによるずれも防ぎ、呼吸によってマスク内に空気が循環し、顔面全体を保湿するため、皺対策、風邪などの予防、ウィルスや花粉、埃、紫外線などを防ぎ、取り外し時に顔面に跡が残らず、アイメイクや口紅などの化粧も落ちにくいフェイスマスクになり、他類のない携帯にも嵩張らないフェイスマスクの提供が可能である。
【考案の効果】
【０００８】本フェイスマスクの形状により、顔肌、鼻喉の保湿に、寒さ乾燥対策、皺や風邪の予防、ウィルス、花粉、埃、紫外線から体と寝顔をガードでき、抗菌、花粉、紫外線対策素材を用いることで、長時間無防備な睡眠時にいっそう強力な効果を期待でき、万人が喜ぶ。【０００９】本発明はその形状により、機内、車内などで顔に化粧水パックなどをしていても、また暑い時には冷却シートを額に貼っても、また睡眠中口を開けていても、本フェイスマスクで顔を覆うことにより、人目に付かない利点と共に多様な使用目的が可能である。【００１０】本発明品は白色に限定せず、濃い色やグラデーションにすることで目の部分が暗くなるため安眠効果を期待でき、パステルカラーや花柄などにすることにより、視覚的に好印象を与える効果があり、バリエーションは無限である。【００１１】本発明品は化粧をした上に装着しても、取り外し時にヘアスタイルも乱れず、顔面にマスクの跡が残りにくく、アイメイクや口紅など化粧が落ちにくい利点がある。【００１２】美容院などで洗髪や髪染めなどの際やエステティックにも使用目的を見出すことが可能であり、個人ばかりでなく、美容関係企業にとっても歓迎される効果がある。【００１３】本フェイスマスクは、洗濯することなく使い捨てという手軽さと装着、着脱が容易である。【００１４】縦半分に平たく折りたため、嵩張らず携帯に便利である。
【図面の簡単な説明】
【００１５】
【図１】本発明の耳に掛けて固定するタイプの正面装着全体図
【図２】本発明の耳に掛けて固定するタイプの側面装着全体図
【図３】本発明の耳に掛けて固定するタイプの折りたたみ側面図
【図４】本体内側周囲に接着効果のある素材を使用した、耳掛け部のないタイプの内面図
【考案を実施するための形態】
【００１６】素材は多少伸縮性のある通常の使い捨て鼻口用マスク素材が望ましいが、抗菌、ウィルス、花粉、紫外線対策用素材でも可能である。
【００１７】縦は額生え際より顎の下まで曲線形にし、縦に左右を張り合わせるかもしくは、折り目をつけることで、適度な強度をもたせ、横は耳までのフェイスラインで、ソフトにフィットさせ、顔面に空間のある立体形で顔全体を覆うフェイスマスク。
【００１８】固定方法は、鼻口用通常マスクのように耳に掛け固定するか、接着効果のある素材を本体周囲に使用することで耳に掛けることなく固定させる。
【産業上の利用可能性】
【００１９】美容院で洗髪や毛染めなどの際に利用することが可能であり、エステティックに於いても使用目的を見出すことが可能であるため、美容関係企業での利用可能性が期待できる。また航空会社の国際線や高級なシティーホテルのサービスアメニティーとしての利用可能性も考えられる。
【符号の説明】
【００２０】１  中央張り合わせまたは折り目ライン
２  顔面覆い部
３  耳かけ部
４  耳かけ穴
５  接着効果のある素材を本体内側周囲に使用した部分
【図１】
0003153284.tif 000003
【図２】
0003153284.tif 000004
【図３】
0003153284.tif 000005
【図４】
0003153284.tif 000006
【手続補正書】
【提出日】平成21年6月4日(2009.6.4)
【手続補正１】
【補正対象書類名】実用新案登録請求の範囲
【補正対象項目名】全文
【補正方法】変更
【補正の内容】
【実用新案登録請求の範囲】
【請求項１】
本フェイスマスクの素材はここに記す限りではないが、多少伸縮性のある通常の使い捨て鼻口用マスク素材が望ましく、抗菌、ウィルス、花粉対策素材、紫外線対策としてＵＶ素材でも可能であり、縦は額の生え際から顎の下までの曲線形で、縦中央で左右を張り合わせるか、折り目を付け、横はフェイスラインでソフトにフィットさせ固定することで、縦中央ラインにより適度な強度を生じ、顔全体を立体形で覆うことが可能になり、マスク内に空間をもたせ保湿を考慮した多目的使用可能な睡眠フェイスマスク。
【請求項２】
本フェイスマスクの固定方法は、耳に掛けて固定するタイプと接着効果のある素材を本体内側周囲に使用することで、フェイスラインに沿って張り付くように固定するタイプの、請求項１に記載のフェイスマスク。
【請求項３】
縦半分に平たく折りたたむことができ携帯に便利、着脱が容易、カラーバリエーションによる効果も期待できる、請求項１または請求項２に記載のフェイスマスク。